(57)【要約】【課題】タイヤの耐久性能を向上できる空気入りタイヤおよび空気入りタイヤの製造方法を提供すること。【解決手段】この空気入りタイヤは、カーカス層のタイヤ径方向外側に配置されるベルト層と、少なくともベルト層のタイヤ径方向外側の中央部を覆って配置される第一ベルトカバー層８と、このベルト層のタイヤ径方向外側の端部を覆って配置される第二ベルトカバー層９とを有する。そして、第二ベルトカバー層９が第一ベルトカバー層８の弾性率よりも高い弾性率を有する。また、第二ベルトカバー層９がベルト層に対して１周以上２周未満の範囲で環状に巻き付けられて配置される。【選択図】        図４
2008279821.tif 000002
【特許請求の範囲】
【請求項１】
カーカス層のタイヤ径方向外側に配置されるベルト層と、少なくとも前記ベルト層のタイヤ径方向外側の中央部を覆って配置される第一ベルトカバー層と、前記ベルト層のタイヤ径方向外側の端部を覆って配置される第二ベルトカバー層とを有する空気入りタイヤであって、
前記第二ベルトカバー層が前記第一ベルトカバー層の弾性率よりも高い弾性率を有すると共に前記ベルト層に対して１周以上２周未満の範囲で環状に巻き付けられて配置されることを特徴とする空気入りタイヤ。
【請求項２】
タイヤの未加硫状態にて、前記第二ベルトカバー層の始端部と終端部とのラップ幅ｔが前記第二ベルトカバー層の周長Ｔに対して０．００３≦ｔ／Ｔの関係を有する請求項１に記載の空気入りタイヤ。
【請求項３】
製品タイヤにて、前記第二ベルトカバー層の始端部と終端部とのラップ幅ｔが前記第二ベルトカバー層の周長Ｔに対してｔ／Ｔ≦０．５０の関係を有する請求項１または２に記載の空気入りタイヤ。
【請求項４】
前記第一ベルトカバー層がジョイントレス構造を有する請求項１〜３のいずれか一つに記載の空気入りタイヤ。
【請求項５】
前記ベルト層のタイヤ径方向外側に前記第一ベルトカバー層が配置され、前記第一ベルトカバー層の外側に前記第二ベルトカバー層が配置される請求項１〜４のいずれか一つに記載の空気入りタイヤ。
【請求項６】
前記第一ベルトカバー層を構成するベルトカバー材の２．０［ｃＮ／ｄｔｅｘ］の伸張率が４．０［％］以上１０．０［％］未満の範囲内にあり、かつ、前記第二ベルトカバー層を構成するベルトカバー材の２．０［ｃＮ／ｄｔｅｘ］の伸張率が１．５［％］以上４．０［％］未満の範囲内にある請求項１〜５のいずれか一つに記載の空気入りタイヤ。
【請求項７】
前記第一ベルトカバー層のベルトカバー材がナイロン繊維から成り、かつ、前記第二ベルトカバー層のベルトカバー材がポリエステル繊維、ポリケトン繊維、リヨセル繊維、アラミド繊維、アラミド繊維およびナイロン繊維を撚り合わせて成る複合繊維、または、ポリケトン繊維およびナイロン繊維を撚り合わせて成る複合繊維から成る請求項１〜６のいずれか一つに記載の空気入りタイヤ。
【請求項８】
前記ベルト層がスチール製のベルトプライから成る請求項１〜７のいずれか一つに記載の空気入りタイヤ。
【請求項９】
前記ベルト層の最大幅Ｗｂと、前記ベルト層の一方の端部に配置された前記第二ベルトカバー層の総幅Ｗｃとが０．０２≦Ｗｃ／Ｗｂ≦０．３５の関係を有する請求項１〜８のいずれか一つに記載の空気入りタイヤ。
【請求項１０】
トレッド部センタークラウンＣＬから前記ベルト層の最大幅位置までの距離Ｘｂと、トレッド部センタークラウンＣＬから前記第二ベルトカバー層のタイヤ幅方向外側の端部までの距離Ｘｃとが０．７０≦Ｘｂ／Ｘｃ≦１．２０の関係を有する請求項１〜９のいずれか一つに記載の空気入りタイヤ。
【請求項１１】
カーカス層のタイヤ径方向外側に配置されるベルト層と、少なくとも前記ベルト層のタイヤ径方向外側の中央部を覆って配置される第一ベルトカバー層と、前記ベルト層のタイヤ径方向外側の端部を覆って配置される第二ベルトカバー層とを有する空気入りタイヤの製造方法であって、
前記第二ベルトカバー層が前記第一ベルトカバー層の弾性率よりも高い弾性率を有すると共に前記ベルト層に対して１周以上２周未満の範囲で環状に巻き付けられて配置されることにより、タイヤ加硫時にてグリーンタイヤが拡径したときに、前記第二ベルトカバー層の始端部および終端部をタイヤ周方向に変位させることを特徴とする空気入りタイヤの製造方法。
【発明の詳細な説明】
【技術分野】
【０００１】
この発明は、空気入りタイヤに関し、さらに詳しくは、タイヤの耐久性能を向上できる空気入りタイヤおよび空気入りタイヤの製造方法に関する。
【背景技術】
【０００２】
近年の空気入りタイヤでは、ロードノイズを低減するために、ベルト層の中央域に低い弾性率を有する第一ベルトカバー層が配置され、その両端域にのみ高い弾性率を有する第二ベルトカバー層が配置される。また、第一ベルトカバー層は、例えば、ナイロン繊維から成るベルトカバー材により構成される。また、第二ベルトカバー層は、例えば、ポリエチレンナフタレート繊維、アラミド繊維、ポリケトン繊維などから成るベルトカバー材により構成される。
【０００３】
ここで、上記の構成では、第二ベルトカバー層が高い弾性率を有するため、タイヤの加硫時にてベルト層の端部がタイヤの径成長に追従し難い。このため、加硫故障が発生し、また、ベルト層端部のトレッドゴムにセパレーションが発生してタイヤの耐久性能が低下するという課題がある。
【０００４】
なお、かかる構成を有する従来の空気入りタイヤには、特許文献１に記載される技術が知られている。
【０００５】
【特許文献１】特許第３１４５９０２号公報
【発明の開示】
【発明が解決しようとする課題】
【０００６】
この発明は、タイヤの耐久性能を向上できる空気入りタイヤおよび空気入りタイヤの製造方法を提供することを目的とする。
【課題を解決するための手段】
【０００７】
上記目的を達成するため、この発明にかかる空気入りタイヤは、カーカス層のタイヤ径方向外側に配置されるベルト層と、少なくとも前記ベルト層のタイヤ径方向外側の中央部を覆って配置される第一ベルトカバー層と、前記ベルト層のタイヤ径方向外側の端部を覆って配置される第二ベルトカバー層とを有する空気入りタイヤであって、前記第二ベルトカバー層が前記第一ベルトカバー層の弾性率よりも高い弾性率を有すると共に前記ベルト層に対して１周以上２周未満の範囲で環状に巻き付けられて配置されることを特徴とする。
【０００８】
この空気入りタイヤでは、第二ベルトカバー層がベルト層の端部に対して１周以上２周未満の範囲で巻き付けられて配置されるので、第二ベルトカバー層が複数周かつ連続的に巻き付けられている構成と比較して、第二ベルトカバー層によるベルト層の端部の拘束力が低減される。すると、タイヤ加硫時にてグリーンタイヤが拡径したときに、第二ベルトカバー層の始端部および終端部がタイヤ周方向に変位できるので、第二ベルトカバー層とベルト層との間にあるコーティングゴムの肉厚が適正に確保される。これにより、ベルト層の端部におけるトレッドゴムのセパレーションが効果的に低減されて、タイヤの耐久性能が向上する利点がある。
【０００９】
また、この発明にかかる空気入りタイヤは、タイヤの未加硫状態にて、前記第二ベルトカバー層の始端部と終端部とのラップ幅ｔが前記第二ベルトカバー層の周長Ｔに対して０．００３≦ｔ／Ｔの関係を有する。
【００１０】
この空気入りタイヤでは、第二ベルトカバー層のラップ幅ｔが適正化されるので、タイヤの高速耐久性能およびユニフォミティが適性に維持される利点がある。
【００１１】
また、この発明にかかる空気入りタイヤは、製品タイヤにて、前記第二ベルトカバー層の始端部と終端部とのラップ幅ｔが前記第二ベルトカバー層の周長Ｔに対してｔ／Ｔ≦０．５０の関係を有する。
【００１２】
この空気入りタイヤでは、第二ベルトカバー層によるベルト層の端部の拘束力が適正化されるので、タイヤの加硫工程にて、第二ベルトカバー層とベルト層との間にあるコーティングゴムの肉厚が確保される。これにより、ベルト層の端部におけるトレッドゴム６のセパレーションが効果的に低減される利点がある。
【００１３】
また、この発明にかかる空気入りタイヤは、前記第一ベルトカバー層がジョイントレス構造を有する。
【００１４】
この空気入りタイヤでは、第一ベルトカバー層がジョイントレス構造を有するので、スプライス成分が低減されて、タイヤのユニフォミティが向上する利点がある。
【００１５】
また、この発明にかかる空気入りタイヤは、前記ベルト層のタイヤ径方向外側に前記第一ベルトカバー層が配置され、前記第一ベルトカバー層の外側に前記第二ベルトカバー層が配置される。
【００１６】
この空気入りタイヤでは、第二ベルトカバー層が高い弾性率を有すると共に１周以上２周未満の範囲でベルト層に巻き付けられているので、タイヤの加硫時にてタイヤ径が成長したときに、第二ベルトカバー層がタイヤ周方向に大きく変位する。一方、低い弾性率を有する第一ベルトカバー層は、タイヤの加硫時にてタイヤ径が成長したときに、より大きく伸びるので、その位置が変位し難い。したがって、ベルト層と第二ベルトカバー層との間に第一ベルトカバー層が挟み込まれることにより、タイヤの加硫時における第二ベルトカバー層の変位によってベルト層のベルト角度が受ける影響が低減される。これにより、タイヤのユニフォミティが適正に維持される利点がある。
【００１７】
また、この発明にかかる空気入りタイヤは、前記第一ベルトカバー層を構成するベルトカバー材の２．０［ｃＮ／ｄｔｅｘ］の伸張率が４．０［％］以上１０．０［％］未満の範囲内にあり、かつ、前記第二ベルトカバー層を構成するベルトカバー材の２．０［ｃＮ／ｄｔｅｘ］の伸張率が１．５［％］以上４．０［％］未満の範囲内にある。
【００１８】
この空気入りタイヤでは、第一ベルトカバー層および第二ベルトカバー層の弾性率が適正化されるので、中域周波数（２００［Ｈｚ］〜４００［Ｈｚ］）のロードノイズが効果的に低減される利点がある。
【００１９】
また、この発明にかかる空気入りタイヤは、前記第一ベルトカバー層のベルトカバー材がナイロン繊維から成り、かつ、前記第二ベルトカバー層のベルトカバー材がポリエステル繊維、ポリケトン繊維、リヨセル繊維、アラミド繊維、アラミド繊維およびナイロン繊維を撚り合わせて成る複合繊維、または、ポリケトン繊維およびナイロン繊維を撚り合わせて成る複合繊維から成る。
【００２０】
この空気入りタイヤでは、第一ベルトカバー層および第二ベルトカバー層の材質（弾性率）が適正化されるので、中域周波数のロードノイズが効果的に低減される利点がある。
【００２１】
また、この発明にかかる空気入りタイヤは、前記ベルト層がスチール製のベルトプライから成る。
【００２２】
この空気入りタイヤでは、ベルト層が有機繊維製のベルトプライから成る構成と比較して、ベルト層の剛性が高められる。これにより、タイヤの高速耐久性能が向上する利点がある。
【００２３】
また、この発明にかかる空気入りタイヤは、前記ベルト層の最大幅Ｗｂと、前記ベルト層の一方の端部に配置された前記第二ベルトカバー層の総幅Ｗｃとが０．０２≦Ｗｃ／Ｗｂ≦０．３５の関係を有する。
【００２４】
この空気入りタイヤでは、ベルト層の最大幅Ｗｂと第二ベルトカバー層の総幅Ｗｃとの比Ｗｃ／Ｗｂが適正化されるので、中域周波数のロードノイズが効果的に低減される利点がある。また、タイヤの乗心地性能が適性に維持される利点がある。
【００２５】
また、この発明にかかる空気入りタイヤは、トレッド部センタークラウンＣＬから前記ベルト層の最大幅位置までの距離Ｘｂと、トレッド部センタークラウンＣＬから前記第二ベルトカバー層のタイヤ幅方向外側の端部までの距離Ｘｃとが０．７０≦Ｘｂ／Ｘｃ≦１．２０の関係を有する。
【００２６】
この空気入りタイヤでは、ベルト層の端部と第二ベルトカバー層との位置関係が適正化されるので、中域周波数のロードノイズが効果的に低減される利点があり、また、タイヤのユニフォミティが維持される利点がある。
【００２７】
また、この発明にかかる空気入りタイヤの製造方法は、カーカス層のタイヤ径方向外側に配置されるベルト層と、少なくとも前記ベルト層のタイヤ径方向外側の中央部を覆って配置される第一ベルトカバー層と、前記ベルト層のタイヤ径方向外側の端部を覆って配置される第二ベルトカバー層とを有する空気入りタイヤの製造方法であって、前記第二ベルトカバー層が前記第一ベルトカバー層の弾性率よりも高い弾性率を有すると共に前記ベルト層に対して１周以上２周未満の範囲で環状に巻き付けられて配置されることにより、タイヤ加硫時にてグリーンタイヤが拡径したときに、前記第二ベルトカバー層の始端部および終端部をタイヤ周方向に変位させることを特徴とする。
【００２８】
この空気入りタイヤの製造方法では、空気入りタイヤの第二ベルトカバー層がベルト層の端部に対して１周以上２周未満の範囲で巻き付けられて配置されるので、第二ベルトカバー層が複数周かつ連続的に巻き付けられている構成（図示省略）と比較して、第二ベルトカバー層によるベルト層の端部の拘束力が低減される。すると、タイヤ加硫時にてグリーンタイヤが拡径したときに、第二ベルトカバー層の始端部および終端部がタイヤ周方向に変位できるので、第二ベルトカバー層とベルト層との間にあるコーティングゴムの肉厚が適正に確保される。これにより、ベルト層の端部におけるトレッドゴムのセパレーションが効果的に低減されて、タイヤの耐久性能が向上する利点がある。
【発明の効果】
【００２９】
この発明にかかる空気入りタイヤ（空気入りタイヤの製造方法）では、第二ベルトカバー層がベルト層の端部に対して１周以上２周未満の範囲で巻き付けられて配置されるので、第二ベルトカバー層が複数周かつ連続的に巻き付けられている構成と比較して、第二ベルトカバー層によるベルト層の端部の拘束力が低減される。すると、タイヤ加硫時にてグリーンタイヤが拡径したときに、第二ベルトカバー層の始端部および終端部がタイヤ周方向に変位できるので、第二ベルトカバー層とベルト層との間にあるコーティングゴムの肉厚が適正に確保される。これにより、ベルト層の端部におけるトレッドゴムのセパレーションが効果的に低減されて、タイヤの耐久性能が向上する利点がある。
【発明を実施するための最良の形態】
【００３０】
以下、この発明につき図面を参照しつつ詳細に説明する。なお、この実施例によりこの発明が限定されるものではない。また、この実施例の構成要素には、当業者が置換可能かつ容易なもの、或いは実質的同一のものが含まれる。また、この実施例に記載された複数の変形例は、当業者自明の範囲内にて任意に組み合わせが可能である。
【実施例】
【００３１】
図１は、この発明の実施例にかかる空気入りタイヤを示すタイヤ子午線方向の断面図である。図２〜図６は、図１に記載した空気入りタイヤのベルトカバー層を示す説明図である。図７〜図１５は、図１に記載したベルトカバー層の変形例を示す説明図である。図１６〜図１９は、この発明の実施例にかかる空気入りタイヤの性能試験の結果を示す図表である。
【００３２】
［空気入りタイヤ］
この空気入りタイヤ１は、ビードコア２と、ビードフィラー３と、カーカス層４と、ベルト層５と、トレッドゴム６と、サイドウォールゴム７とを有する（図１参照）。ビードコア２は、環状構造を有し、左右一対を一組として構成される。ビードフィラー３は、ビードコア２のタイヤ径方向外周に配置されてタイヤ１のビード部を補強する。カーカス層４は、左右のビードコア２、２間にトロイダル状に架け渡されてタイヤの骨格を構成する。また、カーカス層４の両端部は、ビードフィラー３を包み込むようにタイヤ幅方向外側に折り返されて係止される。ベルト層５は、積層された複数のベルトプライ５１、５２から成り、カーカス層４のタイヤ径方向外周に配置される。トレッドゴム６は、カーカス層４およびベルト層５のタイヤ径方向外周に配置されてタイヤのトレッド部を構成する。サイドウォールゴム７は、ビードフィラー３およびカーカス層４のタイヤ幅方向外側に配置されてタイヤのサイドウォール部を構成する。
【００３３】
［ベルトカバー層］
また、空気入りタイヤ１は、第一ベルトカバー層８と、第二ベルトカバー層９とを有する（図１参照）。第一ベルトカバー層８は、少なくともベルト層５のタイヤ径方向外側の中央部（トレッド部センタークラウンＣＬを含む領域）を覆って配置される。第二ベルトカバー層９は、ベルト層５のタイヤ径方向外側の端部を覆って配置される。すなわち、第一ベルトカバー層８および第二ベルトカバー層９がベルト層５のタイヤ径方向外側に配置されて、ベルト層５を補強する。なお、第一ベルトカバー層８は、ベルト層５の中央部のみならずベルト層５の端部を覆って配置されても良いし（図１および図２参照）、さらに、ベルト層５の端部よりもタイヤ幅方向外側に突出して配置されても良い（図示省略）。また、第一ベルトカバー層８は、ベルト層５の最大幅Ｗｂに対して５０［％］以上の範囲に配置されることが好ましい。
【００３４】
また、第二ベルトカバー層９は、第一ベルトカバー層８の弾性率よりも高い弾性率を有する。したがって、少なくともベルト層５の中央部が低い弾性率を有する第一ベルトカバー層８によって覆われ、また、ベルト層５の端部が高い弾性率を有する第二ベルトカバー層９によって覆われる。
【００３５】
また、第二ベルトカバー層９は、ベルト層５に対して１周以上２周未満の範囲で巻き付けられて配置される。また、第二ベルトカバー層９は、ベルト層５に対して環状に巻き付けられて配置される。したがって、第二ベルトカバー層９は、ベルト層５を１周して巻き付けられたときに、その終端部（巻き付け終了側の端部）９２が自身に重なる（二重巻きとなる）ように配置される。このため、第二ベルトカバー層９の巻き付け状態は、例えば、螺旋状の巻き付け状態（ベルトカバー層が自身に重なることなくベルト層の軸方向にズレながら巻き付けられる状態）とは異なる。
【００３６】
例えば、この実施例では、第一ベルトカバー層８と第二ベルトカバー層９とがベルト層５のタイヤ径方向外側に配置されている（図１〜図３参照）。これらのベルトカバー層８、９は、複数本のコード材をゴム引きして成るストリップ材により構成されている。また、第一ベルトカバー層８がベルト層５の略全域（中央部および端部を含む）に渡って配置されている。また、第二ベルトカバー層９がベルト層５のタイヤ幅方向の両端部に対してそれぞれ配置されている（図１〜図３参照）。
【００３７】
また、第二ベルトカバー層９の弾性率が第一ベルトカバー層８の弾性率よりも高く設定されている。具体的には、第一ベルトカバー層８が低い弾性率のストリップ材（有機繊維コード）により構成され、第二ベルトカバー層９が高い弾性率のストリップ材により構成されている。また、第一ベルトカバー層８の弾性率および第二ベルトカバー層９の弾性率がそれぞれ所定の範囲に設定されている。
【００３８】
また、第一ベルトカバー層８が一本のストリップ材から成る（図４参照）。そして、このストリップ材がベルト層５に対してタイヤ周方向に連続的かつ螺旋状に巻き付けられ、ベルト層５の一方の端部から他方の端部に渡って配置されている。また、第二ベルトカバー層９が第一ベルトカバー層８の両端部に対してそれぞれ巻き付けられて配置される（図４および図５参照）。また、第二ベルトカバー層９が、タイヤ周方向に対して平行となるように（略０［ｄｅｇ］の傾斜角にて）ベルト層５（第一ベルトカバー層８の端部）に巻き付けられている。また、第二ベルトカバー層９が、ベルト層５に対して１周以上２周未満の範囲で巻き付けられている。具体的には、第二ベルトカバー層９は、その始端部９１と終端部９２とを重ね合わせて巻き付けられることにより、環状構造を有する（図６参照）。
【００３９】
なお、この実施例では、第二ベルトカバー層９の始端部９１と終端部９２とが、その幅を完全に一致するように重ねられて配置されているが（図６参照）、これに限らず、幅方向に多少ズレて配置されても良い（図７参照）。ただし、第二ベルトカバー層９の始端部９１と終端部９２とは、少なくとも一部において重なるように配置されることを要する。これにより、第二ベルトカバー層９の環状構造が確保される。
【００４０】
［タイヤの製造工程］
この空気入りタイヤ１の製造工程では、ビードコア２を構成するビードワイヤー、カーカス層４を構成するカーカスプライ、ベルト層５を構成するベルトプライ５１、５２、トレッドゴム６、サイドウォールゴム７などの各部材が成型機にかけられて、グリーンタイヤ（生タイヤ）が成型される（図示省略）。次に、このグリーンタイヤがタイヤ加硫モールドに充填される。次に、この加硫モールドが加熱され、加圧装置（加硫プラダ）によりグリーンタイヤが径方向外方に拡張されてタイヤ加硫モールドのタイヤ成形金型（トレッド面成形部）に当接する。次に、グリーンタイヤが加熱されることにより、トレッド部のゴム分子と硫黄分子とが結合して加硫が行われる。このとき、タイヤ成形金型の形状がグリーンタイヤのトレッド面に転写されて、空気入りタイヤ１のトレッドパターンが成形される。そして、成形された空気入りタイヤがタイヤ加硫モールドから引き抜かれる。
【００４１】
ここで、上記したグリーンタイヤの加硫工程では、グリーンタイヤが加硫プラダにより適正に拡張されて、タイヤ成型金型に押し付けられることが好ましい。この点おいて、この空気入りタイヤ１では、第二ベルトカバー層９がベルト層５の端部に対して１周以上２周未満の範囲で巻き付けられて配置されるので、第二ベルトカバー層が複数周かつ連続的（ジョイントレス）に巻き付けられている構成（図示省略）と比較して、第二ベルトカバー層９によるベルト層５の端部への拘束力が低減されている。このため、グリーンタイヤの拡径時にて第二ベルトカバー層９に引張力が作用すると、第二ベルトカバー層９の始端部９１および終端部９２がタイヤ周方向（ラップ幅ｔを広げる方向）に変位して、ベルト層５の端部がタイヤの変形に追従してリフトする。これにより、（１）第二ベルトカバー層９とベルト層５との間にあるコーティングゴムの肉厚が適正に確保されて、ベルト層５の端部におけるトレッドゴム６のセパレーションが低減される。また、（２）トレッドゴム６とタイヤ成型金型との接触が適正に確保されるので、タイヤの加硫故障が低減される。
【００４２】
［効果］
以上説明したように、この空気入りタイヤ１では、第二ベルトカバー層９がベルト層５の端部に対して１周以上２周未満の範囲で巻き付けられて配置されるので、第二ベルトカバー層が複数周かつ連続的に巻き付けられている構成（図示省略）と比較して、第二ベルトカバー層９によるベルト層５の端部の拘束力が低減される。すると、タイヤ加硫時にてグリーンタイヤが拡径したときに、第二ベルトカバー層９の始端部９１および終端部９２がタイヤ周方向に変位できるので、第二ベルトカバー層９とベルト層５との間にあるコーティングゴムの肉厚が適正に確保される。これにより、ベルト層５の端部におけるトレッドゴム６のセパレーションが効果的に低減されて、タイヤの耐久性能が向上する利点がある。
【００４３】
また、この空気入りタイヤ１では、第二ベルトカバー層９がベルト層５に対して環状に巻き付けられて（第二ベルトカバー層９の始端部９１と終端部９２とが重ね合わされて）配置されるので、タイヤの加硫時にて、タイヤが径成長して第二ベルトカバー層９の始端部９１および終端部９２が変位したときにも、第二ベルトカバー層９のベルト角度が影響を受け難い。これにより、タイヤのユニフォミティが適性に維持される利点がある。例えば、第二ベルトカバー層がベルト層の幅方向にピッチを持ちつつ螺旋状に巻き付けられている（第二ベルトカバー層の始端部と終端部とが重ね合わされていない）構成では、タイヤの加硫時にて第二ベルトカバー層の始端部および終端部が変位したときに、ベルト層５が第二ベルトカバー層９により引っ張られてベルトプライ５２のベルト角度が乱される。すると、タイヤのユニフォミティが悪化するおそれがある。
【００４４】
また、この空気入りタイヤ１では、低い弾性率を有する第一ベルトカバー層８がベルト層５の中央部に配置され、高い弾性率を有する第二ベルトカバー層９がベルト層５の端部に配置されることにより、ダイヤ断面二次変形が抑制される。これにより、中域周波数（２００［Ｈｚ］〜４００［Ｈｚ］）のロードノイズが効果的に低減される利点がある。なお、高い弾性率を有する第二ベルトカバー層９がベルト層５の端部にのみ配置されるだけでも、ロードノイズが低減される。また、高い弾性率を有するベルトカバー層がベルト層の全域に渡って配置されると、トレッド部の剛性が増加し過ぎて、タイヤの乗心地性能が悪化する。
【００４５】
［付加的事項１］
なお、この空気入りタイヤ１では、タイヤの未加硫状態にて、第二ベルトカバー層９の始端部９１と終端部９２とのラップ幅ｔが第二ベルトカバー層９の周長Ｔに対して０．００３≦ｔ／Ｔの関係を有することが好ましい（図６参照）。かかる構成では、第二ベルトカバー層９のラップ幅ｔが適正化されるので、タイヤの高速耐久性能およびユニフォミティが適性に維持される利点がある。例えば、ｔ／Ｔ＜０．００３では、タイヤ加硫時にてグリーンタイヤが拡径したときに、第二ベルトカバー層９の始端部９１と終端部９２との間に隙間ができるおそれがある。すると、トレッド部の剛性がタイヤ周方向に不均一となり、タイヤの高速耐久性能やユニフォミティが悪化するおそれがある。
【００４６】
例えば、この実施例では、タイヤの未加硫状態にて、第二ベルトカバー層９の周長ＴがＴ＝２０００［ｍｍ］となる。これに対して、第二ベルトカバー層９の始端部９１と終端部９２とのラップ幅ｔがｔ＝６０［ｍｍ］に設定されている。そして、タイヤ加硫時には、タイヤの径成長により第二ベルトカバー層９の終端部９２が３０［ｍｍ］〜４０［ｍｍ］ほど変位する（ラップ幅ｔが減少する）。かかる構成により、第二ベルトカバー層９のラップ幅ｔが適正に確保されている。
【００４７】
また、この空気入りタイヤ１では、製品タイヤにて、第二ベルトカバー層９の始端部９１と終端部９２とのラップ幅ｔが第二ベルトカバー層９の周長Ｔに対してｔ／Ｔ≦０．５０の関係を有することが好ましい（図６参照）。かかる構成では、第二ベルトカバー層によるベルト層の端部の拘束力が適正化されるので、タイヤの加硫工程にて、第二ベルトカバー層とベルト層との間にあるコーティングゴムの肉厚が確保される。これにより、ベルト層５の端部におけるトレッドゴム６のセパレーションが効果的に低減される利点がある。例えば、０．５０＜ｔ／Ｔでは、第二ベルトカバー層によるベルト層の端部の拘束力が過剰となり、タイヤの加硫工程にて、第二ベルトカバー層とベルト層との間にあるコーティングゴムの肉厚が確保され難くなる。すると、ベルト層の端部にてトレッドゴムのセパレーションが発生し易くなる。
【００４８】
［付加的事項２］
また、この空気入りタイヤ１では、第一ベルトカバー層８がジョイントレス構造を有することが好ましい（図４参照）。これにより、スプライス成分が低減されて、タイヤのユニフォミティが向上する利点がある。
【００４９】
例えば、この実施例では、第一ベルトカバー層８が一本のストリップ材から成り、このストリップ材がタイヤ周方向に連続的かつ螺旋状に巻き付けられて配置される（図４参照）。これにより、ジョイントレス構造を有する第一ベルトカバー層８が形成されている。
【００５０】
［付加的事項３］
また、この空気入りタイヤ１では、ベルト層５のタイヤ径方向外側に第一ベルトカバー層８が配置され、この第一ベルトカバー層８の外側に第二ベルトカバー層９が配置されることが好ましい（図２および図３参照）。すなわち、ベルト層５と高い弾性率を有する第二ベルトカバー層９との間に、低い弾性率を有する第一ベルトカバー層８が挟み込まれて配置される。
【００５１】
かかる構成では、第二ベルトカバー層９が高い弾性率を有すると共に１周以上２周未満の範囲でベルト層５に巻き付けられているので、タイヤの加硫時にてタイヤ径が成長したときに、第二ベルトカバー層９がタイヤ周方向に大きく変位する。一方、低い弾性率を有する第一ベルトカバー層８は、タイヤの加硫時にてタイヤ径が成長したときに、より大きく伸びるので、その位置が変位し難い。したがって、ベルト層５と第二ベルトカバー層９との間に第一ベルトカバー層８が挟み込まれることにより、タイヤの加硫時における第二ベルトカバー層９の変位によってベルト層５のベルト角度が受ける影響が低減される。これにより、タイヤのユニフォミティが適正に維持される利点がある。
【００５２】
［付加的事項４］
また、この空気入りタイヤ１では、第一ベルトカバー層８のタイヤ幅方向の両端部に第二ベルトカバー層９がそれぞれ配置される（図４および図５参照）。また、第一ベルトカバー層８の端部の位置と第二ベルトカバー層９の端部の位置とが揃えられている。
【００５３】
しかし、これに限らず、第一ベルトカバー層８の端部の位置と第二ベルトカバー層９の端部の位置とがタイヤ幅方向にズレていても良い。例えば、第二ベルトカバー層９の端部が第一ベルトカバー層８の端部よりもタイヤ幅方向内側に位置していても良いし（図８および図９参照）、逆に、第二ベルトカバー層９の端部が第一ベルトカバー層８の端部よりもタイヤ幅方向外側に位置していても良い（図示省略）。
【００５４】
また、複数の第二ベルトカバー層９、９が第一ベルトカバー層８の両端部にそれぞれ配置されても良い（図１０および図１１参照）。例えば、第一ベルトカバー層８の各端部に、それぞれ一対の第二ベルトカバー層９、９が配置される。このとき、各第二ベルトカバー層９、９は、それぞれ独立している。
【００５５】
また、第一ベルトカバー層８と第二ベルトカバー層９とが並列に配置されても良い（図１２および図１３参照）。例えば、第一ベルトカバー層８がベルト層５の中央部にのみ配置され、また、第二ベルトカバー層９がベルト層５の両端部にのみそれぞれ配置される。また、第一ベルトカバー層８と第二ベルトカバー層９とが積層されることなく並列に配置される。
【００５６】
また、第一ベルトカバー層８のタイヤ径方向内側に第二ベルトカバー層９が配置されても良い（図１４および図１５参照）。例えば、第二ベルトカバー層９がベルト層５の両端部にそれぞれ配置され、第一ベルトカバー層８が各第二ベルトカバー層９、９およびベルト層５を覆って配置される。
【００５７】
［付加的事項５］
また、この空気入りタイヤ１では、第一ベルトカバー層８を構成するベルトカバー材の２．０［ｃＮ／ｄｔｅｘ］の伸張率が４．０［％］以上１０．０［％］未満の範囲内にあり、かつ、第二ベルトカバー層９を構成するベルトカバー材の２．０［ｃＮ／ｄｔｅｘ］の伸張率が１．５［％］以上４．０［％］未満の範囲内にあることが好ましい。かかる構成では、第一ベルトカバー層８および第二ベルトカバー層９の弾性率が適正化されるので、中域周波数（２００［Ｈｚ］〜４００［Ｈｚ］）のロードノイズが効果的に低減される利点がある。
【００５８】
また、この空気入りタイヤ１では、第一ベルトカバー層８のベルトカバー材がナイロン繊維から成り、かつ、第二ベルトカバー層９のベルトカバー材がポリエステル繊維、ポリケトン繊維、リヨセル繊維、アラミド繊維、アラミド繊維およびナイロン繊維を撚り合わせて成る複合繊維、または、ポリケトン繊維およびナイロン繊維を撚り合わせて成る複合繊維から成ることが好ましい。かかる構成では、第一ベルトカバー層８および第二ベルトカバー層９の材質（弾性率）が適正化されるので、中域周波数（２００［Ｈｚ］〜４００［Ｈｚ］）のロードノイズが効果的に低減される利点がある。
【００５９】
また、この空気入りタイヤ１では、ベルト層５がスチール製のベルトプライ５１、５２から成ることが好ましい（図１および図２参照）。かかる構成では、ベルト層が有機繊維製のベルトプライから成る構成と比較して、ベルト層５の剛性が高められる。これにより、タイヤの高速耐久性能が向上する利点がある。なお、この実施例では、一対のベルトプライ５１、５２が繊維方向を交差させて積層されることにより、ベルト層５の強度が高められている（クロスプライ構造）。
【００６０】
［付加的事項６］
また、この空気入りタイヤ１では、ベルト層５の最大幅Ｗｂと、ベルト層５の一方の端部に配置された第二ベルトカバー層９の総幅Ｗｃとが０．０２≦Ｗｃ／Ｗｂ≦０．３５の関係を有することが好ましい（図３参照）。また、最大幅Ｗｂと総幅Ｗｃとが０．０５≦Ｗｃ／Ｗｂ≦０．３０の関係を有することがより好ましい。
【００６１】
かかる構成では、ベルト層５の最大幅Ｗｂと第二ベルトカバー層９の総幅Ｗｃとの比Ｗｃ／Ｗｂが適正化されるので、中域周波数のロードノイズが効果的に低減される利点がある。また、タイヤの乗心地性能が適性に維持される利点がある。例えば、Ｗｃ／Ｗｂ＜０．０２では、ロードノイズの低減効果が十分に得られない。また、０．３５＜Ｗｃ／Ｗｂでは、ロードノイズの低減効果が増加し難くなり、また、第二ベルトカバー層の剛性が過剰となりタイヤの乗心地性能が悪化するおそれがある。
【００６２】
なお、複数の第二ベルトカバー層９がベルト層５の一方の端部に配置されている構成（図１０および図１１参照）では、各第二ベルトカバー層９の幅の和が第二ベルトカバー層９の総幅Ｗｃとなる。
【００６３】
また、この空気入りタイヤ１では、トレッド部センタークラウンＣＬからベルト層５の最大幅位置までの距離Ｘｂと、トレッド部センタークラウンＣＬから第二ベルトカバー層９のタイヤ幅方向外側の端部までの距離Ｘｃとが０．７０≦Ｘｂ／Ｘｃ≦１．２０の関係を有することが好ましい（図３参照）。また、距離Ｘｂと距離Ｘｃとが０．８０≦Ｘｂ／Ｘｃ≦１．１０の関係を有することがより好ましい。
【００６４】
かかる構成では、ベルト層５の端部と第二ベルトカバー層９との位置関係が適正化されるので、中域周波数のロードノイズが効果的に低減される利点があり、また、タイヤのユニフォミティが維持される利点がある。例えば、Ｘｂ／Ｘｃ＜０．７０では、ロードノイズの低減効果が十分に得られない。また、１．２０＜Ｘｂ／Ｘｃでは、第二ベルトカバー層がベルト層の端部を越えて過剰にはみ出している状態となり、グリーンタイヤのシェーピング時にベルト層からはみ出したベルトカバー層にリフトが掛からなくなる。すると、完成グリーンタイヤのショルダー部がタイヤ周方向に波打った形状となり易く、タイヤのユニフォミティが悪化するおそれがある。
【００６５】
［性能試験］
この実施例では、条件が異なる複数の空気入りタイヤについて、（１）耐ロードノイズ性能、（２）高速耐久性能、（３）乗心地性能および（４）耐振動性能に関する性能試験が行われた（図１６〜図１９参照）。この性能試験では、タイヤサイズ２１５／５５Ｒ１７の空気入りタイヤがリムサイズ１７×７ＪＪのリムに組み付けられ、この空気入りタイヤに２００［ｋＰａ］の内圧およびＪＡＴＭＡ規定の正規荷重が負荷される。また、この空気入りタイヤが排気量２５００［ｃｃ］の国産ＦＲ車に装着される。
【００６６】
（１）耐ロードノイズ性能に関する性能試験では、空気入りタイヤを装着した試験車両が粗い路面を有するテストコースを６０［ｋｍ／ｈ］で走行し、試験車両の中央位置に取り付けられたマイクロフォンにより音圧レベルが測定される。そして、この測定結果に基づいて、従来例の空気入りタイヤを基準（０）とした評価が行われる。評価結果は、その数値が小さいほど（マイナスであるほど）音圧レベルが低くて、好ましい。
【００６７】
（２）高速耐久性能に関する性能試験では、ドラム径１７０７ｍｍのドラムが用いられて、ＪＩＳ−Ｄ４２３０に準拠した室内高速耐久試験が行われる。その後に、３０分毎に１０ｋｍ／ｈずつドラムの回転速度を増加させて、空気入りタイヤが破損した時のドラムの回転速度が測定される。そして、この測定結果に基づいて、従来例の空気入りタイヤ１を基準（１００）とした指数評価が行われる。評価結果は、その数値が大きいほど好ましい。
【００６８】
（３）乗心地性能に関する性能試験では、空気入りタイヤを装着した試験車両がドライ路面の評価コースを走行して、専門のテストドライバーが官能評価を行う。この評価は、従来例２の空気入りタイヤを基準（１００）とした指数評価により行われ、その数値が大きいほど好ましい。
【００６９】
（４）耐振動性能に関する性能試験では、空気入りタイヤを装着した試験車両がドライ路面の評価コースを走行して、専門のテストドライバーが官能評価を行う。この評価は、従来例２の空気入りタイヤを基準（１００）とした指数評価により行われ、その数値が大きいほど好ましい。
【００７０】
従来例の空気入りタイヤは、第一ベルトカバー層と第二ベルトカバー層とがいずれもナイロン繊維から成るベルトカバー材により構成され、低い弾性率（伸張率７．０［％］）を有する。また、第二ベルトカバー層がベルト層の端部に対して連続的かつ螺旋状に巻き付けられて配置されている。また、第二ベルトカバー層の巻き数は、３周である。
【００７１】
発明例１〜１０の空気入りタイヤ１は、第一ベルトカバー層８がナイロン繊維（伸張率７．０［％］）から成るベルトカバー材により構成され、第二ベルトカバー層９がポリケトン繊維（伸張率２．０［％］）から成るベルトカバー材により構成されている（図１〜図６参照）。このため、第二ベルトカバー層９の弾性率が第一ベルトカバー層８の弾性率よりも高く設定されている。また、第二ベルトカバー層９がベルト層５の両端部に対して１周以上２周未満の範囲で環状に巻き付けられて配置されている。
【００７２】
試験結果に示すように、発明例１〜３の空気入りタイヤ１では、ロードノイズが低減されることが分かる（図１６参照）。また、第二ベルトカバー層９のラップ幅ｔと周長Ｌとの比ｔ／Ｌが適正化されることにより、タイヤの高速耐久性能がより好適に維持されることが分かる。なお、タイヤの高速耐久性能は、従来例を基準とする指数値が−１５以上であれば、十分に維持されていると考えられる。
【００７３】
また、従来例と発明例４とを比較すると、第二ベルトカバー層９の弾性率が第一ベルトカバー層８の弾性率よりも高く設定されることにより、ロードノイズが適正に低減され、また、タイヤの乗心地性能が維持されることが分かる（図１７参照）。
【００７４】
また、従来例と発明例４〜６とを比較すると、第二ベルトカバー層９の幅Ｗｃが適正化されることにより、タイヤのロードノイズが適正に低減され、また、タイヤの乗心地性能が適性に維持されることが分かる（図１８参照）。
【００７５】
また、発明例８〜１０を比較すると、ベルト層５の端部に対する第二ベルトカバー層９の設置位置が適正化されることにより、タイヤのロードノイズが適正に低減され、また、タイヤの耐振動性能が適性に維持されることが分かる（図１９参照）。
【産業上の利用可能性】
【００７６】
以上のように、本発明にかかる空気入りタイヤおよび空気入りタイヤの製造方法は、タイヤの耐久性能を向上できる点で有用である。
【図面の簡単な説明】
【００７７】
【図１】この発明の実施例にかかる空気入りタイヤを示すタイヤ子午線方向の断面図である。
【図２】図１に記載した空気入りタイヤのベルトカバー層を示す説明図である。
【図３】図１に記載した空気入りタイヤのベルトカバー層を示す説明図である。
【図４】図１に記載した空気入りタイヤのベルトカバー層を示す説明図である。
【図５】図１に記載した空気入りタイヤのベルトカバー層を示す説明図である。
【図６】図１に記載した空気入りタイヤのベルトカバー層を示す説明図である。
【図７】図１に記載したベルトカバー層の変形例を示す説明図である。
【図８】図１に記載したベルトカバー層の変形例を示す説明図である。
【図９】図１に記載したベルトカバー層の変形例を示す説明図である。
【図１０】図１に記載したベルトカバー層の変形例を示す説明図である。
【図１１】図１に記載したベルトカバー層の変形例を示す説明図である。
【図１２】図１に記載したベルトカバー層の変形例を示す説明図である。
【図１３】図１に記載したベルトカバー層の変形例を示す説明図である。
【図１４】図１に記載したベルトカバー層の変形例を示す説明図である。
【図１５】図１に記載したベルトカバー層の変形例を示す説明図である。
【図１６】この発明の実施例にかかる空気入りタイヤの性能試験の結果を示す図表である。
【図１７】この発明の実施例にかかる空気入りタイヤの性能試験の結果を示す図表である。
【図１８】この発明の実施例にかかる空気入りタイヤの性能試験の結果を示す図表である。
【図１９】この発明の実施例にかかる空気入りタイヤの性能試験の結果を示す図表である。
【符号の説明】
【００７８】
１    空気入りタイヤ
２    ビードコア
３    ビードフィラー
４    カーカス層
５    ベルト層
５１  ベルトプライ
５２  ベルトプライ
６    トレッドゴム
７    サイドウォールゴム
８    第一ベルトカバー層
９    第二ベルトカバー層
９１  始端部
９２  終端部
【図１】
2008279821.tif 000003
【図２】
2008279821.tif 000004
【図３】
2008279821.tif 000005
【図４】
2008279821.tif 000006
【図５】
2008279821.tif 000007
【図６】
2008279821.tif 000008
【図７】
2008279821.tif 000009
【図８】
2008279821.tif 000010
【図９】
2008279821.tif 000011
【図１０】
2008279821.tif 000012
【図１１】
2008279821.tif 000013
【図１２】
2008279821.tif 000014
【図１３】
2008279821.tif 000015
【図１４】
2008279821.tif 000016
【図１５】
2008279821.tif 000017
【図１６】
2008279821.tif 000018
【図１７】
2008279821.tif 000019
【図１８】
2008279821.tif 000020
【図１９】
2008279821.tif 000021